(57)【要約】【課題】日常生活を送っているときに帯電した静電気を放電するアース用具を提供する。【解決手段】アース用具１００は、導電性を有する板状部材１０と、板状部材１０と接地された電極とを電気的に接続する導線２０と、を備える。接地された電極は、コンセントに設けられたアース端子から構成され、導線２０は、アース端子に接続する接続部１１を有するとよい。接地された電極は、コンセント３０に設けられたアース端子３１から構成されるとよい。板状部材１０は、銅、アルミニウム、または真鍮から構成されるとよい。板状部材１０に積層された織物層を備えるとよい。板状部材１０に積層された滑り止め層を備えるとよい。【選択図】図１−１
2019067722.tif 000002
【特許請求の範囲】
【請求項１】
導電性を有する板状部材と、
前記板状部材と接地された電極とを電気的に接続する導線と、
を備えることを特徴とするアース用具。
【請求項２】
前記接地された電極は、コンセントに設けられたアース端子から構成され、
前記導線は、前記アース端子に接続する接続部を有する、
ことを特徴とする請求項１に記載のアース用具。
【請求項３】
前記板状部材は、銅、アルミニウム、または真鍮から構成される、
ことを特徴とする請求項１または２に記載のアース用具。
【請求項４】
前記板状部材に積層された織物層を備える、
ことを特徴とする請求項１から３の何れか１項に記載のアース用具。
【請求項５】
前記板状部材に積層された滑り止め層を備える、
ことを特徴とする請求項１から４の何れか１項に記載のアース用具。 
【発明の詳細な説明】
【技術分野】
【０００１】
本発明は、アース用具に関する。
【背景技術】
【０００２】
主として、家庭において、パソコン、炊飯器、調理器等の電化製品の使用とか、又は室内を歩行、及び／又は、歩行時とか停止時などにおいて衣服の擦れなどの所作で、人体に静電気が帯電する。人体に帯電した静電気は、例えば、扉ノブ、扉の指掛け金具に触れたときなどに放電される。この放電の際に、人体の痛みとか、違和感を生ずることが、間々ある。また、人体に帯電した静電気により空気中の微粒子が人体に吸着されると、健康が害される虞があり、また、体内で常時行われている新陳代謝に悪影響を与える。現在の履物である靴やサンダル、スリッパなどは放電しない。室内には、特段、放電用のグッズはなく、何時まで経っても、人体に帯電した静電気を除去するのが困難であった。そのために、人体に帯電した静電気を除去するための用具が望まれている。
【０００３】
特許文献１は、人体に帯電した静電気を大地に放電させる足踏健康器具を開示する。この足踏健康器具は、導電性材料で構成した、両足を載せる踏み台の踏み面と、踏み面を大地に導通させるアースと、を備える。
【先行技術文献】
【特許文献】
【０００４】
【特許文献１】実用新案登録第３０７５５６６号公報
【発明の概要】
【発明が解決しようとする課題】
【０００５】
特許文献１が開示する足踏健康器具は、導電性の踏み台と、踏み台に設けたアース線とでなり、踏み台で足踏み運動をしているときに、静電気を放電することができる。しかし、この足踏健康器具は、人体に帯電した静電気を放電するのは、足踏み運動をしているときという限定的な条件下であり、食事中や就寝中など日常生活を送っているときの放電はできない。従って、限定的であり、汎用性に欠けると考えられる。しかしながら、昨今では、足踏み運動をしているとき以外の日常生活を送っているときでも、帯電した静電気を放電することが望まれている。
【０００６】
本発明は、このような実情に鑑みてなされたものであり、日常生活を送っているときに、常時、人体に帯電した静電気を放電するアース用具を提供することを目的とする。
【課題を解決するための手段】
【０００７】
上記目的を達成するため、本発明に係るアース用具は、
導電性を有する板状部材と、
前記板状部材と接地された電極とを電気的に接続する導線と、
を備える、ことを特徴とする。
【０００８】
前記接地された電極は、コンセントに設けられたアース端子から構成され、
前記導線は、前記アース端子に接続する接続部を有するとよい。
【０００９】
前記板状部材は、銅、アルミニウム、または真鍮など通電性の素材で構成されるとよい。
【００１０】
前記板状部材に積層された織物層を備えるとよい。
【００１１】
前記板状部材に積層された滑り止め層を備えるとよい。
【発明の効果】
【００１２】
本発明によれば、玄関の上がり位置、台所のテーブルの下、またはベッドのシートの上（足が接触する部位）などに配置することで、帰宅時、食事中、就寝中に人体に帯電した静電気を放電することができる。このため、日常生活を送っているときに帯電した静電気を放電するのに、最適な構造のアース用具を提供することができる。そして、本発明では、板状部材は、望ましくは、汎用性を確保するために、原則として、同寸法、及び／又は、同じ厚みとする。この形態であれば、設置場所の変更が容易であり、異なる場所への持運びと設置とが可能となり重宝する。
【図面の簡単な説明】
【００１３】
【図１−１】本実施の形態に係るアース用具を、テーブルの下に配備した一例を示す図である。
【図１−２】図１−１の他の例を示した図である。
【図２】本実施の形態に係るアース用具を、玄関に配備した一例を示す図である。
【図３】本実施の形態に係るアース用具を、ベッドの上に配備した一例を示す図である。
【図４】本実施の形態に係るアース用具を、居間に配備した一例を示す図である。
【図５】変形例に係る板状部材の拡大断面図である。
【図６】変形例に係る板状部材の拡大断面図である。
【図７】変形例に係る板状部材の拡大断面図である。
【発明を実施するための形態】
【００１４】
以下、本発明を実施するための形態に係るアース用具を、図面を参照しながら詳細に説明する。
【００１５】
アース用具１００は、図１−１に示すように、板状部材１０と、導線２０と、を備える。導線２０が接地された電極に接続され、人体が板状部材１０に接触すると、人体に帯電した静電気が放電される。
【００１６】
板状部材１０は、導電性を有する部材から構成され、導線２０を接続する接続部１１を有する。板状部材１０は、例えば、銅、アルミニウム、または真鍮などの導電性の金属か、又はこれらの金属被覆材から構成される。そして、板状部材１０の形状は、人の力で自由に変更でき、かつ形状を維持できる構造とする。板状部材１０の形態（大きさ）は、原則として、同じ寸法、同じ厚さとし、適宜の場所に持運び、かつ同じような使用を図る。例えば、図１−１、１−２に示した机の下、図２に示した玄関、図３に示したベッドの上、図４に示した居間等の各部屋の入口、図示しないが、階段、踊り場、サンルーフ等でも設置できる。即ち、人が踏み入れる箇所とか、脚を置く箇所が考えられる。尚、前記の如く、板状部材１０の形態を特定することで、前記のどの箇所に持っていっても、違和感なく、又は邪魔にならず設置ができる。さらに、前述の如く、設置場所の変更が容易であり、異なる場所への持運びと設置とが可能となり重宝する。
【００１７】
そして、板状部材１０の形状は、板状であれば特に限定されず、四角形、円形、楕円形などであってもよい。板状部材１０の大きさは、設置される場所により決定され、例えば、四角形の形状であれば、一辺が１０〜１２０ｃｍである。図１−１に示す例では、板状部材１０は、２５ｃｍ×３５ｃｍの長方形であり、板状部材１０の角１２〜１５は、丸みを帯びた形状を有している。板状部材１０の厚みは、床などに接地したときに段差を少なくできる厚みが好ましく、例えば０．５〜１．５ｃｍが好ましい。また、板状部材１０は、角を丸くし、怪我の発生を無くすことと、意匠的価値を高める。
【００１８】
導線２０は、銅、アルミニウムなど通電性の素材で構成され、一端部２１が接続部１１に接続され、他端部（接続部）２２が接地された電極に接続される。導線２０は、樹脂などで被覆されてもよい。接地された電極は、例えば、コンセント３０に設けられたアース端子３１から構成される。
【００１９】
以下、本発明の好ましい、使用例を、図１−４に示した各例に関して、順次説明する。
【００２０】
図１−１に示したアース用具１００を、テーブルＴ（例えば、ダイニングテーブル）の下に配備した一例を示す図である。従って、テーブルＴで食事とか、休憩、雑談をしているときに、人体の一部である足が板状部材１０に接触すると、人体に帯電した静電気が導線２０を通して接地された電極に流れ、人体に帯電した静電気を放電することができる。極めて、通常の行動であり、このような通常の行動で、帯電した静電気が放電できれば、有益である。
【００２１】
尚、図１−１の他の例において、アース用具１００の形態を変更し、例えば、複数枚のアース用具１００（一枚で、テーブルТの全体の広さでも可能である）を、テーブルＴの脚の下に配置されてもよい。この場合、導線２０の一端部２１および中間部２３が、接続部１１に接続される。テーブルＴが木製などの静電気を流す性質のものであり、人体の一部である手がテーブルＴに接触すると、人体に帯電した静電気が導線２０を通して接地された電極に流れ、人体に帯電した静電気を放電することができる。
【００２２】
図２は、アース用具１００を、玄関Ｒの上がり位置に配備した一例を示す図であり、帰宅時に人体に帯電した静電気を放電することができる。そして、図示しないが、アース用具１００は、台所の立ち位置に配置されると、料理をしているときに、人体に帯電した静電気を放電することができる。
【００２３】
図３は、アース用具１００を、ベッドＢの上で、望ましくは、人の足が接触する箇所に設ける。従って、前述と同様に放電ができる。殊に、就寝時において、知らず知らずのうちに、放電でき、例えば、人体の健康維持（肩凝りの解消、腰痛の軽減化とか、軽微な症状の回復に福音をもたらすことが考えられる）とか、効率的、かつ最適な就寝とか、疲労回復の迅速化等に有効と考えられる。尚、図示しないが、木製、金属製などのベッドＢでは、ベッドＢの足の下に配置しても同じ効果が期待できる。
【００２４】
図４に示したアース用具１００を、居間Ｌ（住居等）の出入口に配備した一例を示す図である。居間Ｌへの出入り時において、人体に帯電した静電気を放電することができる。その効果は前述の各例に準ずる。
【００２５】
上述したアース用具１００によれば、人体の一部が、板状部材１０に電気的に直接又は間接に電気的に接触することで、人体に帯電した静電気が導線２０を通して接地された電極に流れ、人体に帯電した静電気を放電することができる。従って、帰宅時、料理をしているとき、食事中、就寝中など、日常生活を送っているときに帯電した静電気を放電することができる。これにより、人体に帯電した静電気により空気中の微粒子が人体に吸着し、健康が害されることを防ぐことができる。一例では、正しい新陳代謝が行われないことにより引き起こされる、例えば、アトピー、皮膚の障害とか、頭痛、又はかぶれ等の症状の改善に有効との知見がある。即ち、本発明のアース用具１００は、磁気が蓄積することによる各種の悪影響解消に役立つことが考えられる。
【００２６】
（変形例）
上述の実施の形態のアース用具１００では、板状部材１０が単層で用いられる例について説明した。人体に帯電した静電気を放電することができれば、板状部材１０に積層体を積層してもよい。例えば、図４に示すように、板状部材１０に織物層４０を積層してもよい。織物層４０は、静電気を放電する程度に電気を流すものであればよく、例えば、木綿、麻、ウール、化学繊維などから構成される。このようにすることで、玄関の上がり位置、ダイニングテーブルＴの下、台所の立ち位置に配置したときの美観を向上できる。また、足が板状部材１０に直接触れて冷たく感じることを防ぐことができる。
【００２７】
また、図６に示すように、滑り止め層５０を積層してもよい。滑り止め層５０は、ゴムなどから構成される。このようにすることで、足で板状部材１０を踏んだときに、板状部材１０が滑り、転倒することを防ぐことができる。また、図７に示すように、織物層４０と板状部材１０と滑り止め層５０とが積層されてもよい。
【００２８】
上述の実施の形態のアース用具１００では、他端部２２がコンセント３０に設けられたアース端子３１に接続される例について説明した。他端部２２は、接地された電極に接続されれば何れの場所に接続されてもよい。例えば、他端部２２は、アルミサッシに接続されてもよく、地面に埋め込んだ金属棒に接続されてもよい。
【００２９】
本発明を野外で使用した際には、雷の稲妻からの解消にも有効である。
【００３０】
本発明のアース用具１００は、常に放電しているので、人体での帯電がなく、例えば、ドアノブに触れたときなどに静電気が放電され、痛みとか、違和感などを生じることを防ぐことができる。また、人体に帯電した静電気により空気中の微粒子が人体に吸着し、健康が害されることを防ぐことができる。一例では、正しい新陳代謝が行われないことにより引き起こされる、例えば、アトピー、皮膚の障害とか、頭痛、又はかぶれ等の症状の改善に有効との知見がある。即ち、本発明のアース用具１００は、磁気が蓄積することにより生じる、各種の悪影響解消に役立つことが考えられる。また、現状のテーブルＴ、玄関Ｒ、ベッドＢ、又は居間Ｌなどの構造では、放電できない。そして、前記放電時に慌てて、転倒、落下とか、又は家具などに体をぶつけることによるに二次災害、及び／又は、障害などの解消に役立つものと考えられる。
【００３１】
以上、本発明の好ましい実施形態について説明したが、本発明は係る特定の実施形態に限定されるものではなく、本発明には、特許請求の範囲に記載された発明とその均等の範囲とが含まれる。
【符号の説明】
【００３２】
１０  板状部材
１１  接続部
１２〜１５  角
２０  導線
２１  一端部
２２  他端部
３０  コンセント
３１  アース端子
４０  織物層
５０  滑り止め層
１００  アース用具
Ｔ  テーブル
Ｒ  玄関
Ｂ  ベッド
Ｌ  居間
【図１−１】
2019067722.tif 000003
【図１−２】
2019067722.tif 000004
【図２】
2019067722.tif 000005
【図３】
2019067722.tif 000006
【図４】
2019067722.tif 000007
【図５】
2019067722.tif 000008
【図６】
2019067722.tif 000009
【図７】
2019067722.tif 000010